(57)【特許請求の範囲】
【請求項１】
断熱性をもつ保冷保温容器本体と、
前記保冷保温容器本体外面に設けられ、前記保冷保温容器本体内の温度を表示する温度計と、
前記保冷保温容器本体外面に前記温度計と隣接して設けられ、前記保冷保温容器本体内の温度管理状態を表示する温度管理状態表示部とを備え、
前記保冷保温容器本体は、隣接する複数の側面パネル、天面パネルおよび底面パネルを備え、
前記複数の側面パネルのいずれかの側面パネルと、前記天面パネルとは、開閉可能であり、
前記複数の側面パネル、前記天面パネルおよび前記底面パネルのいずれかの内面に、保冷剤または保温材を収納する、収納部を備え、
前記温度管理状態表示部は少なくとも３つの温度管理状態を切換自在に表示するために、各々の一端部において互いに連結され、かつ、各々の一端を中心として回転可能となっている第１表示面、第２表示面および第３表示面の各表示面を含み、
前記各表示面のいずれかの表示面は、表示機能をもたないダミー表示面によって遮蔽されることを可能としながら、面ファスナにより他のいずれかの表示面と固定することができることを特徴とする保冷保温容器。
【請求項２】
前記各表示面は、各々下地と、下地上に設けられた表示文字または表示図形とを有し、
前記各表示面の下地の色が相違するか、または、前記各表示面の表示文字もしくは表示図形の色が相違することを特徴とする請求項１記載の保冷保温容器。
【請求項３】
前記温度計は温度を数字で表示するとともに、前記各表示面はいずれも温度管理状態を数字範囲で表示することを特徴とする請求項１または２記載の保冷保温容器。
【請求項４】
前記温度計は温度を表示体の位置で表示するとともに、前記各表示面は前記表示体の位置に対応する位置に配置されることを特徴とする請求項１または２記載の保冷保温容器。
【請求項５】
温度管理対象の温度管理システムにおいて、
断熱性をもつ保冷保温容器本体と、
前記保冷保温容器本体の内部である、前記温度管理対象の温度を表示する温度計と、
前記温度管理対象の温度管理状態を表示する温度管理状態表示部とを備え、
前記保冷保温容器本体は、隣接する複数の側面パネル、天面パネルおよび底面パネルを備え、
前記複数の側面パネルのいずれかの側面パネルと、前記天面パネルとは、開閉可能であり、
前記複数の側面パネル、前記天面パネルおよび前記底面パネルのいずれかの内面に、保冷剤または保温材を収納する、収納部を備え、
前記温度管理状態表示部は少なくとも３つの温度管理状態を切換自在に表示するために、各々の一端部において互いに連結され、かつ、各々の一端を中心として回転可能となっている第１表示面、第２表示面および第３表示面の各表示面を含み、
前記各表示面のいずれかの表示面は、表示機能をもたないダミー表示面によって遮蔽されることを可能としながら、面ファスナにより他のいずれかの表示面と固定することができることを特徴とする温度管理システム。
【発明の詳細な説明】
【技術分野】
【０００１】
本発明は、保冷保温容器本体と、温度計とを有する保冷保温容器、および温度管理システムに関する。
【背景技術】
【０００２】
保冷保温容器は、例えば物流分野において、内部温度を管理するために使用されている。このような保冷保温容器として、保冷保温容器本体と、温度計とを有し、保冷保温容器内の温度管理を行なうものが知られている。断熱性部材を有することによって、熱の容器内外の移動を抑制している。
【０００３】
特許文献１には、保冷用コンテナの側板に凹部を形成し、この凹部内にコンテナ内の温度を表示する温度計を設置したものが記載されている。
【先行技術文献】
【特許文献】
【０００４】
【特許文献１】特開平１１−２０８６４号公報
【発明の概要】
【発明が解決しようとする課題】
【０００５】
ところで特許文献１に記載のものは、保冷用コンテナの側板に温度計を設置したものであるが、保冷用コンテナ内を例えば常温または冷蔵等の状態に確実に温度管理したい場合がある。
【０００６】
しかしながら、特許文献１においては、保冷用コンテナに、保冷用コンテナ内の温度管理状態を表示する機能が設けられていないため、外方から保冷用コンテナ内の温度管理状態を正しく認識することができない。
【０００７】
このため、特許文献１においては、温度計をみただけでは、保冷用コンテナ内が正しく温度管理されているか認識することはできない。
【０００８】
本発明は、このような点を考慮してなされたものであり、内部が正しく温度管理されているか容易に認識することができる保冷保温容器および温度管理システムを提供することを目的とする。
【課題を解決するための手段】
【０００９】
本発明は、断熱性をもつ保冷保温容器本体と、前記保冷保温容器本体外面に設けられ、前記保冷保温容器本体内の温度を表示する温度計と、前記保冷保温容器本体外面に前記温度計と隣接して設けられ、前記保冷保温容器本体内の温度管理状態を表示する温度管理状態表示部とを備え、前記保冷保温容器本体は、隣接する複数の側面パネル、天面パネルおよび底面パネルを備え、前記複数の側面パネルのいずれかの側面パネルと、前記天面パネルとは、開閉可能であり、前記複数の側面パネル、前記天面パネルおよび前記底面パネルのいずれかの内面に、保冷剤または保温材を収納する、収納部を備え、前記温度管理状態表示部は少なくとも３つの温度管理状態を切換自在に表示するために、各々の一端部において互いに連結され、かつ、各々の一端を中心として回転可能となっている第１表示面、第２表示面および第３表示面の各表示面を含み、前記各表示面のいずれかの表示面は、表示機能をもたないダミー表示面によって遮蔽されることを可能としながら、面ファスナにより他のいずれかの表示面と固定することができることを特徴とする保冷保温容器である。
【００１０】
本発明は、前記各表示面は、各々下地と、下地上に設けられた表示文字または表示図形とを有し、前記各表示面の下地の色が相違するか、または、前記各表示面の表示文字もしくは表示図形の色が相違することを特徴とする保冷保温容器である。
【００１１】
本発明は、  前記温度計は温度を数字で表示するとともに、前記各表示面はいずれも温度管理状態を数字範囲で表示することを特徴とする保冷保温容器である。
【００１２】
本発明は、  前記温度計は温度を表示体の位置で表示するとともに、前記各表示面は前記表示体の位置に対応する位置に配置されることを特徴とする保冷保温容器である。
【００１３】
本発明は、温度管理対象の温度管理システムにおいて、断熱性をもつ保冷保温容器本体と、前記保冷保温容器本体の内部である、前記温度管理対象の温度を表示する温度計と、前記温度管理対象の温度管理状態を表示する温度管理状態表示部とを備え、前記保冷保温容器本体は、隣接する複数の側面パネル、天面パネルおよび底面パネルを備え、前記複数の側面パネルのいずれかの側面パネルと、前記天面パネルとは、開閉可能であり、前記複数の側面パネル、前記天面パネルおよび前記底面パネルのいずれかの内面に、保冷剤または保温材を収納する、収納部を備え、前記温度管理状態表示部は少なくとも３つの温度管理状態を切換自在に表示するために、各々の一端部において互いに連結され、かつ、各々の一端を中心として回転可能となっている第１表示面、第２表示面および第３表示面の各表示面を含み、前記各表示面のいずれかの表示面は、表示機能をもたないダミー表示面によって遮蔽されることを可能としながら、面ファスナにより他のいずれかの表示面と固定することができることを特徴とする温度管理システムである。
【発明の効果】
【００１４】
本発明によれば、保冷保温容器の保冷保温容器本体内部が正しく温度管理されているか否か、正しく認識することができる。
【図面の簡単な説明】
【００１５】
【図１】図１（ａ）（ｂ）（ｃ）は保冷保温容器の温度計と温度管理状態表示部を示す図である。
【図２】図２（ａ）（ｂ）（ｃ）は保冷保温容器の温度計と温度管理状態表示部の変形例を示す図である。
【図３】図３（ａ）（ｂ）（ｃ）は保冷保温容器の温度計と温度管理状態表示部の他の変形例を示す図である。
【図４】図４（ａ）（ｂ）（ｃ）は図３（ａ）（ｂ）（ｃ）に示す他の変形例の詳細構造を示す図である。
【図５】図５は、本発明の一実施の形態による保冷保温容器を示す斜視図であって、開閉可能な正面パネルが開放された状態を示す斜視図である。
【発明を実施するための形態】
【００１６】
以下、図面を参照して、本発明の実施の形態について説明する。
【００１７】
まず、図５により本発明の一実施の形態による保冷保温容器１０の概略を示す。図５は、本実施の形態による保冷保温容器１０を示す斜視図である。
【００１８】
図５に示すように、保冷保温容器１０は断熱性をもつ保冷保温容器本体１０Ａと、この保冷保温容器本体１０Ａの外面に設けられ、保冷保温容器本体１０Ａ内の温度を表示する温度計５２と、保冷保温容器本体１０Ａの外面に温度計５２と隣接して設けられ、保冷保温容器本体１０Ａ内の温度管理状態を表示する温度管理表示部５０とを備えている。
【００１９】
このうち、温度計５２は、保冷保温容器本体１０Ａ内に設置された温度検出部（図示せず）に連結されて、保冷保温容器本体１０Ａ内の温度を表示するようになっている。また温度管理状態表示部５０は、保冷保温容器本体１０Ａ内の温度管理状態、例えば「常温」「冷蔵」「冷凍」等の温度管理状態を表示するものである。
【００２０】
次に保冷保温容器本体１０Ａについて以下説明する。
【００２１】
図５に示すように、本実施の形態による保冷保温容器１０の保冷保温容器本体１０Ａは、天面パネル１１と、４つの側面パネル１２、１３、１４、１５と、底面パネル１６とを備え、内部に保冷あるいは保温すべき物品を収納するようになっている。このような構成からなる保冷保温容器１０内に物品が収納された後、保冷保温容器１０は物品とともに例えば不図示のカゴ車（ロールボックスパレットともいう）に積み重ねて載せられ、当該カゴ車により輸送される。
【００２２】
このうち、少なくとも各側面パネル１２、１３、１４、１５は、真空断熱材を含む断熱性部材を有している。また、各側面パネル１２、１３、１４、１５は正面パネル１２、左面パネル１３、奥面パネル１４、右面パネル１５とを含む。
【００２３】
また、隣接する側面パネル１２、１３、１４、１５間、例えば正面パネル１２、右面パネル１５間には、この正面パネル１２、右面パネル１５の全高方向に延びる補強体３１が設けられている。補強体３１は、剛性材料からなり、各側面パネル１２、１３、１４、１５より高い耐荷重性（圧縮強度）を有するものである。隣接する側面パネル１２、１３、１４、１５は、補強体３１を介して互いに連結されている。
【００２４】
また、各側面パネル１２、１３、１４、１５および補強体３１は、その端面が底面パネル１６の上面に当接されて支持されている。
【００２５】
一方、天面パネル１１は、その底面の周縁部が各側面パネル１２、１３、１４、１５および補強体３１の端面に当接されて支持されている。
【００２６】
このように、天面パネル１１と底面パネル１６との間に掛け渡されるように４本の補強体３１が立設されていることで、天面パネル１１と底面パネル１６との間に作用する圧縮荷重は補強体３１により支えられ、当該補強体３１が変形しない限り各側面パネル１２、１３、１４、１５に大きな負荷はかからないようになっている。
【００２７】
図５に示すように、保冷保温容器本体１０Ａのうち、正面パネル１２は、開閉可能となっている。本実施の形態では、開閉可能な正面パネル１２は、一対の部分パネル１２ａ、１２ｂを有している。一対の部分パネル１２ａ、１２ｂは、それぞれ隣接する左面パネル１３、右面パネル１５に補強体３１を介して連結されており、補強体３１の外側を全高方向に延びる折曲線を介して、折曲可能となっている。これにより、一対の部分パネル１２ａ、１２ｂは、保冷保温容器１０の両開き扉を構成するようになっている。これにより、正面パネル１２を開放する際に必要とされる前後方向（奥行方向）のスペースを縮小することができる。
【００２８】
また、一方の部分パネル１２ａの側縁部の外面には、不図示の雌型面ファスナが設けられており、他方の部分パネル１２ｂの側縁部の外面には、雌型面ファスナに当接可能な雄型面ファスナ付フラップが設けられている。なお、本明細書において「内面」とは、保冷保温容器本体１０Ａの内側を向く面を意味し、「外面」とは、保冷保温容器本体１０Ａの外側を向く面を意味する。一対の部分パネル１２ａ、１２ｂが閉とされる時、雄型面ファスナ付フラップが雌型面ファスナに当接されることで、一対の部分パネル１２ａ、１２ｂは閉のままロックされるようになっている。なお、面ファスナに代えて、留め具や、両開き扉用のロックやストッパーなどを用いることもできる。
【００２９】
本実施の形態では、天面パネル１１は、折畳線３３を介して折畳可能となる一対の部分パネル１１ａ、１１ｂを有している。折畳線３３は、開放可能な正面パネル１２と平行な全幅方向に延びている。一方の部分パネル１１ｂが各側面パネル１３、１４、１５の端面に当接されて支持されたまま、他方の部分パネル１１ａが折畳線３３を介して折り曲げられることで、当該他方の部分パネル１１ａが開とされるようになっている。これによって、側面だけでなく天面からも開閉することができ、物品の出し入れが一層容易である。
【００３０】
図５に示すように、本実施の形態では、天面パネル１１および各側面パネル１３、１４、１５の内面に、それぞれ、保冷剤または保温剤を収納するポケット状の収納部４１が設けられている。このようなポケット状の収納部４１は、必ずしも天面パネル１１および各側面パネル１３、１４、１５の内面に設ける必要は無く、底面パネル１６の内面にポケット状の収納部４１が設けられていてもよい。
【００３１】
なお収納部４１内に保冷剤または保温剤を収納することにより、保冷保温容器本体１０Ａ内を「常温」または「冷蔵」等の温度管理状態に維持することができる。
【００３２】
さらに保冷剤または保温剤を収納する収納部４１に加えて、保冷保温容器本体１０Ａ内に空調設備（図示せず）を設置することにより、保冷保温容器本体１０Ａ内を「常温」、「冷蔵」または「冷凍」の温度管理状態に維持することができる。
【００３３】
次に保冷保温容器本体１０Ａの外面に設けられた温度計５２および温度管理状態表示部５０について図１（ａ）（ｂ）（ｃ）および図５により説明する。
【００３４】
図１（ａ）（ｂ）（ｃ）および図５に示すように、温度計５２および温度管理状態表示部５０は、いずれも保冷保温容器本体１０Ａの右面パネル１５外面に設けられ、温度計５２は温度を数字で表示するデジタル式の温度計となっている。
【００３５】
また温度管理状態表示部５０は、温度管理状態を表示する少なくとも２枚、例えば３枚の表示面５０ａ、５０ｂ、５０ｃを有し、このうち表示面５０ａは例えば「冷凍」の温度管理状態を表示する第１表示面５０ａとなっており、表示面５０ｂは「常温」の温度管理状態を表示する第２表示面５０ｂとなっており、表示面５０ｃは「冷蔵」の温度管理状態を表示する第３表示面５０ｃとなっている。
【００３６】
また第２表示面５０ｂと第３表示面５０ｃとの間に、何ら表示機能をもたないダミー表示面５３が介在され、これら第１表示面５０ａ、第２表示面５０ｂ、ダミー表示面５３および第３表示面５０ｃは各々の一端部において、互いに連結され、第１表示面５０ａ、第２表示面５０ｂ、ダミー表示面５３および第３表示面５０ｃは右面パネル１５上で各々の一端を中心として回転可能となっている。
【００３７】
なお、第１表示面５０ａは「冷凍」の温度管理状態を表示するため、例えば灰色の下地上に表示された「冷凍」の文字を有し、第２表示面５０ｂは「常温」の温度管理状態を表示するため、例えば黄色の下地上に表示された「常温」の文字を有し、第３表示面５０ｃは「冷蔵」の温度管理状態を表示するため、例えば青色の下地上に表示された「冷蔵」の文字を有する。またダミー表示面５３には何らの表示も施されておらず、第２表示面５０ｂまたは第３表示面５０ｃを遮蔽する機能をもつ。
【００３８】
次に、以上のような構成からなる本実施の形態の作用について、説明する。
【００３９】
図５に示すように、組み立てられた状態の保冷保温容器１０のうち、正面パネル１２の一対の部分パネル１２ａ、１２ｂが開とされ、この部分パネル１２ａ、１２ｂから保冷保温容器１０の内部に物品が収納される。この時、天面パネル１１の一方の部分パネル１１ａが、折畳線３３を介して折り畳まれて開とされてもよい。この場合、保冷保温容器１０に対する物品の出し入れが一層容易となる。
【００４０】
保冷保温容器１０に物品が収納された後、正面パネル１２の一対の部分パネル１２ａ、１２ｂが閉とされる。この時、一方の部分パネル１２ａの側縁部に設けられた雌型面ファスナに、他方の部分パネル１２ｂの側縁部に設けられた雄型面ファスナ付フラップ５１が当接されることで、一対の部分パネル１２ａ、１２ｂが閉のままロックされる。また、天面パネル１１の一方の部分パネル１１ａが、折畳線３３を介して戻されて閉とされる。
【００４１】
次に、物品が収納された保冷保温容器１０は、持手部２９を掴まれて持ち上げられ、例えば不図示のカゴ車に２つ以上積み重ねて載せられる。この時、上段の保冷保温容器１０の荷重は、下段の保冷保温容器１０の四隅の補強体３１によって支えられ、下段の保冷保温容器１０の各側面パネル１２、１３、１４、１５に大きな負荷がかかることが防止される。これにより、各側面パネル１２、１３、１４、１５の真空断熱材２１が損傷することが防止される。
【００４２】
また、保冷保温容器１０が底面パネル１６に固定された持手部２９を掴んで持ち上げられることで、各側面パネル１２、１３、１４、１５にかかる負荷は一層低減される。
【００４３】
その後、２つ以上積み重ねられた保冷保温容器１０は、収納された物品とともにカゴ車により次工程に輸送される。
【００４４】
そして、次工程では、カゴ車に２つ以上積み重ねて載せられた保冷保温容器１０は、積み重ねられた状態のまま、正面パネル１２が開とされ、当該正面パネル１２から物品が出し入れされる。このように正面パネル１２が開とされることで、２つ以上積み重ねられた状態のまま、下段の保冷保温容器１０に対しても物品を出し入れすることが可能である。
【００４５】
この間、保冷保温容器１０の保冷保温容器本体１０Ａ内は、保冷剤または保温剤、あるいは空調設置を用いることにより、温度管理され、「常温」、「冷蔵」または「冷凍」のいずれかの温度管理状態に維持される。
【００４６】
例えば温度管理状態を「冷凍」とする場合は、温度管理表示部５０の第１表示面５０ａに示された「冷凍」の文字が外方へ現われる（図１（ａ）参照）。また第２表示面５０ｂの裏面が外方を向いている。
【００４７】
このとき温度計５２に表示された数字、例えば「−１０℃」を確認することにより、保冷保温容器本体１０Ａ内が正しく温度管理されているか否か認識することができる。
【００４８】
次に温度管理状態を「常温」とする場合は、第２表示面５０ｂを回動させて第１表示面５０ａ上へ重ね合わせる。この場合、第１表示面５０ａと第２表示面５０ｂを面ファスナにより固定することができ、第２表示面５０ｂが外方へ現われる（図１（ｂ）参照）。
【００４９】
また第３表示面５０ｃは、ダミー表示面５３により覆われている。
【００５０】
このとき、温度計５２に表示された数字「２０℃」を確認することにより、保冷保温容器本体１０Ａ内が正しく温度管理されているか否か認識することができる。
【００５１】
次に温度管理状態を「冷蔵」とする場合、ダミー表示面５３を回動させて第２表示面５０ｂ上へ重ね合わせる。この場合第２表示面５０ｂをダミー表示面５３により覆うことができる。また第２表示面５０ｂとダミー表示面５３を面ファスナにより固定することができ、第３表示面５０ｃが外方へ現われる（図１（ｃ）参照）。
【００５２】
このとき、温度計５２に表示された数字「３℃」を確認することにより、保冷保温容器本体１０Ａ内が正しく温度管理されているか否か認識することができる。
【００５３】
以上のように本実施の形態によれば、温度管理状態表示部５０の第１表示面５０ａ、第２表示面５０ｂ、または第３表示面５０ｃを順次外方へ露出させ、これら第１表示面５０ａ、第２表示面５０ｂ、第３表示面５０ｃに表示された「冷凍」、「常温」、「冷蔵」の文字と、温度計５２に表示された数字を確認することにより、保冷保温容器本体１０Ａ内が正しく温度管理されているか否か容易かつ簡単に認識することができる。
【００５４】
この場合、第１表示面５０ａ、第２表示面５０ｂ、第３表示面５０ｃは互いに切換えられて順次外方へ露出されるため、第１表示面５０ａ、第２表示面５０ｂ、第３表示面５０ｃに表示された「冷凍」、「常温」、「冷蔵」の文字が互いに混同することはない。
【００５５】
また第１表示面５０ａ、第２表示面５０ｂ、第３表示面５０ｃの下地の色は灰色、黄色、青色と互いに相違しているため、第１表示面５０ａ、第２表示面５０ｂ、第３表示面５０ｃをより明確に認識することができる。
【００５６】
この場合、第１表示面５０ａに表示された「冷凍」の文字、第２表示面５０ｂに表示された「常温」の文字、第３表示面５０ｃに表示された「冷蔵」の文字を互いに異なる色で表示してもよく、この場合は第１表示面５０ａ、第２表示面５０ｂおよび第３表示面５０ｃに表示された「冷凍」、「常温」および「冷蔵」の文字をより確実に認識することができる。
【００５７】
さらにまた、第１表示面５０ａ、第２表示面５０ｂ、および第３表示面５０ｃに、例えば「冷凍」、「常温」および「冷蔵」の文字を表示することなく、「冷凍」、「常温」および「冷蔵」の意味をもつ他の図形、記号を表示してもよい。「冷凍」、「常温」または「冷蔵」の文字は一例であり、一定の温度帯または温度管理状態を認識できる意味をもつ表示であれば、特に限定されない。例えば、「冷凍」、「常温」または「冷蔵」の文字の一部または全部の代わりに、「定温」、「加冷」、「加温」などの文字やそれらの意味をもつ図形、記号を表示してもよい。あるいは、「冷凍」、「常温」および「冷蔵」の文字に加えて、「定温」、「加冷」、「加温」などの文字やそれらの意味をもつ図形、記号を表示してもよい。
【００５８】
次に保冷保温容器本体１０Ａの外面に設けられた温度計５２および温度管理状態表示部６０の変形例について図２（ａ）（ｂ）（ｃ）により説明する。
【００５９】
図２（ａ）（ｂ）（ｃ）に示すように、温度計５２および温度管理状態表示部６０は、いずれも保冷保温容器本体１０Ａの右面パネル１５外面に設けられ、温度計５２は温度を数字で表示するデジタル式の温度計となっている。
【００６０】
また温度管理状態表示部６０は、温度管理状態を表示する少なくとも２枚、例えば３枚の表示面６０ａ、６０ｂ、６０ｃを有し、このうち表示面６０ａは「−１５〜０℃」の温度管理状態を表示する第１表示面６０ａとなっており、表示面６０ｂは「１５〜２０℃」の温度管理状態を表示する第２表示面６０ｂとなっており、表示面６０ｃは「０〜５℃」の温度管理状態を表示する第３表示面６０ｃとなっている。
【００６１】
また第２表示面６０ｂと第３表示面６０ｃとの間に、何ら表示機能をもたないダミー表示面６３が介在され、これら第１表示面６０ａ、第２表示面６０ｂ、ダミー表示面６３および第３表示面６０ｃは各々の一端部において、互いに連結され、第１表示面６０ａ、第２表示面６０ｂ、ダミー表示面６３および第３表示面６０ｃは右面パネル１５上で各々の一端を中心として回転可能となっている。
【００６２】
なお、第１表示面６０ａは「−１５〜０℃」の温度管理状態を表示するため、例えば灰色の下地上に表示された「−１５〜０℃」の文字を有し、第２表示面６０ｂは「１５〜２０℃」の温度管理状態を表示するため、例えば黄色の下地上に表示された「１５〜２０℃」の文字を有し、第３表示面６０ｃは「０〜５℃」の温度管理状態を表示するため、例えば青色の下地上に表示された「０〜５℃」の文字を有する。またダミー表示面６３には何らの表示も施されておらず、第２表示面６０ｂまたは第３表示面６０ｃを遮蔽する機能をもつ。
【００６３】
図２（ａ）〜（ｃ）に示すように、保冷保温容器１０の保冷保温容器本体１０Ａ内は、保冷剤または保温剤、あるいは空調設置を用いることにより、温度管理され、「１５〜２０℃」、「０〜５℃」または「−１５〜０℃」のいずれかの温度管理状態に維持される。
【００６４】
例えば温度管理状態を「−１５〜０℃」とする場合は、温度管理表示部６０の第１表示面６０ａに示された「−１５〜０℃」の文字が外方へ現われる（図２（ａ）参照）。また第２表示面６０ｂの裏面が外方を向いている。
【００６５】
このとき温度計５２に表示された数字、例えば「−１０℃」を確認することにより、保冷保温容器本体１０Ａ内が正しく温度管理されているか否か認識することができる。
【００６６】
次に温度管理状態を「１５〜２０℃」とする場合は、第２表示面６０ｂを回動させて第１表示面６０ａ上へ重ね合わせる。この場合、第１表示面６０ａと第２表示面６０ｂを面ファスナにより固定することができ、第２表示面６０ｂが外方へ現われる（図２（ｂ）参照）。
【００６７】
また第３表示面６０ｃは、ダミー表示面６３により覆われている。
【００６８】
このとき、温度計５２に表示された数字「２０℃」を確認することにより、保冷保温容器本体１０Ａ内が正しく温度管理されているか否か認識することができる。
【００６９】
次に温度管理状態を「０〜５℃」とする場合、ダミー表示面６３を回動させて第２表示面６０ｂ上へ重ね合わせる。この場合第２表示面６０ｂをダミー表示面６３により覆うことができる。また第２表示面６０ｂとダミー表示面６３を面ファスナにより固定することができ、第３表示面６０ｃが外方へ現われる（図２（ｃ）参照）。
【００７０】
このとき、温度計５２に表示された数字「３℃」を確認することにより、保冷保温容器本体１０Ａ内が正しく温度管理されているか否か認識することができる。
【００７１】
以上のように本実施の形態によれば、温度管理状態表示部６０の第１表示面６０ａ、第２表示面６０ｂ、または第３表示面６０ｃを順次外方へ露出させ、これら第１表示面６０ａ、第２表示面６０ｂ、第３表示面６０ｃに表示された「−１５〜０℃」、「１５〜２０℃」、「０〜５℃」の文字と、温度計５２に表示された数字を確認することにより、保冷保温容器本体１０Ａ内が正しく温度管理されているか否か容易かつ簡単に認識することができる。
【００７２】
この場合、第１表示面６０ａ、第２表示面６０ｂ、第３表示面６０ｃは互いに切換えられて順次外方へ露出されるため、第１表示面６０ａ、第２表示面６０ｂ、第３表示面６０ｃに表示された「−１５〜０℃」、「１５〜２０℃」、「０〜５℃」の文字が互いに混同することはない。
【００７３】
また第１表示面６０ａ、第２表示面６０ｂ、第３表示面６０ｃの下地の色は灰色、黄色、青色と互いに相違しているため、第１表示面６０ａ、第２表示面６０ｂ、第３表示面６０ｃをより明確に認識することができる。
【００７４】
この場合、第１表示面６０ａに表示された「−１５〜０℃」の文字、第２表示面６０ｂに表示された「１５〜２０℃」の文字、第３表示面６０ｃに表示された「０〜５℃」の文字を互いに異なる色で表示してもよく、この場合は第１表示面６０ａ、第２表示面６０ｂおよび第３表示面６０ｃに表示された「−１５〜０℃」、「１５〜２０℃」および「０〜５℃」の文字をより確実に認識することができる。
【００７５】
さらにまた、第１表示面６０ａ、第２表示面６０ｂ、および第３表示面６０ｃに、例えば「−１５〜０℃」、「１５〜２０℃」および「０〜５℃」の文字を表示することなく、「−１５〜０℃」、「１５〜２０℃」および「０〜５℃」の意味をもつ他の図形、記号を表示してもよい。「−１５〜０℃」、「１５〜２０℃」および「０〜５℃」の文字は一例であり、一定の温度帯または温度管理状態を認識できる意味をもつ表示であれば、特に限定されない。
【００７６】
次に保冷保温容器本体１０Ａの外面に設けられた温度計７２および温度管理状態表示部７０の他の変形例について図３（ａ）（ｂ）（ｃ）および図４（ａ）（ｂ）（ｃ）により説明する。
【００７７】
図３（ａ）（ｂ）（ｃ）および図４（ａ）（ｂ）（ｃ）に示すように、温度計７２および温度管理状態表示部７０は、いずれも保冷保温容器本体１０Ａの右面パネル１５外面に設けられ、温度計７２は温度を表示体７２ａの位置（上端位置）で表示するアナログ式の温度計となっている。
【００７８】
また温度管理状態表示部７０は、温度管理状態を表示する少なくとも２枚、例えば３枚の表示面７０ａ、７０ｂ、７０ｃを有し、このうち表示面７０ａは例えば「常温」の温度管理状態を表示する第１表示面７０ａとなっており、表示面７０ｂは「冷蔵」の温度管理状態を表示する第２表示面７０ｂとなっており、表示面７０ｃは「冷凍」の温度管理状態を表示する第３表示面７０ｃとなっている。
【００７９】
また第２表示面７０ｂと第３表示面７０ｃとの間に、何ら表示機能をもたないダミー表示面７３が介在され、これら第１表示面７０ａ、第２表示面７０ｂ、ダミー表示面７３および第３表示面７０ｃは各々の一端部において、互いに連結され、第１表示面７０ａ、第２表示面７０ｂ、ダミー表示面７３および第３表示面７０ｃは右面パネル１５上で各々の一端を中心として回転可能となっている。
【００８０】
なお、第１表示面７０ａは「常温」の温度管理状態を表示するため、例えば黄色の下地上に表示された「常温」の文字を有し、第２表示面７０ｂは「冷蔵」の温度管理状態を表示するため、例えば青色の下地上に表示された「冷蔵」の文字を有し、第３表示面７０ｃは「冷凍」の温度管理状態を表示するため、例えば灰色の下地上に表示された「冷凍」の文字を有する。またダミー表示面７３には何らの表示も施されておらず、第２表示面７０ｂまたは第３表示面７０ｃを遮蔽する機能をもつ。
【００８１】
さらにまた、第１表示面７０ａの「常温」の文字、第２表示面７０ｂの「冷蔵」の文字、および第３表示面７０ｃの「冷凍」の文字は、温度管理状態表示部７０において上方から下方に向って順次配置されている。そしてこれら第１表示面７０ａの「常温」の文字、第２表示面７０ｂの「冷蔵」の文字および第３表示面７０ｃの「冷凍」の文字は、温度計７２の表示体７２ａの位置（上端位置）近傍に配置され、第１表示面７０ａ、第２表示面７０ｂおよび第３表示面７０ｃの各々の文字と、温度計７２の表示体７２ａの位置を容易に比較しながら認識することができるようになっている。
【００８２】
図３（ａ）（ｂ）（ｃ）および図４（ａ）（ｂ）（ｃ）に示すように、保冷保温容器１０の保冷保温容器本体１０Ａ内は、保冷剤または保温剤、あるいは空調設置を用いることにより、温度管理され、「常温」、「冷蔵」または「冷凍」のいずれかの温度管理状態に維持される。
【００８３】
例えば温度管理状態を「常温」とする場合は、温度管理表示部７０の第１表示面７０ａに示された「常温」の文字が外方へ現われる（図３（ａ）および図４（ａ）参照）。また第２表示面７０ｂの裏面が外方を向いている。
【００８４】
このとき温度計７２の表示体７２の上端位置に基づいて、例えば「２０℃」を確認することにより、保冷保温容器本体１０Ａ内が正しく温度管理されているか否か認識することができる。
【００８５】
次に温度管理状態を「冷蔵」とする場合は、第２表示面７０ｂを回動させて第１表示面７０ａ上へ重ね合わせる。この場合、第１表示面７０ａと第２表示面７０ｂを面ファスナ７４により固定することができ、第２表示面７０ｂが外方へ現われる（図３（ｂ）および図４（ｂ）参照）。
【００８６】
また第３表示面７０ｃは、ダミー表示面７３により覆われている。
【００８７】
このとき、温度計７２の表示体７２ａの上端位置に基づいて、「３℃」を確認することにより、保冷保温容器本体１０Ａ内が正しく温度管理されているか否か認識することができる。
【００８８】
次に温度管理状態を「冷凍」とする場合、ダミー表示面７３を回動させて第２表示面７０ｂ上へ重ね合わせる。この場合第２表示面７０ｂをダミー表示面７３により覆うことができる。また第２表示面７０ｂとダミー表示面７３を面ファスナ７４により固定することができ、第３表示面７０ｃが外方へ現われる（図３（ｃ）および図４（ｃ）参照）。
【００８９】
このとき、温度計７２の表示体７２ａの上端位置に基づいて、「−１０℃」を確認することにより、保冷保温容器本体１０Ａ内が正しく温度管理されているか否か認識することができる。
【００９０】
以上のように本実施の形態によれば、温度管理状態表示部７０の第１表示面７０ａ、第２表示面７０ｂ、または第３表示面７０ｃを順次外方へ露出させ、これら第１表示面７０ａ、第２表示面７０ｂ、第３表示面７０ｃに表示された「常温」、「冷蔵」、「冷凍」の文字と、温度計７２の表示体７２ａの上端位置を確認することにより、保冷保温容器本体１０Ａ内が正しく温度管理されているか否か容易かつ簡単に認識することができる。
【００９１】
この場合、第１表示面７０ａ、第２表示面７０ｂ、第３表示面７０ｃは互いに切換えられて順次外方へ露出されるため、第１表示面７０ａ、第２表示面７０ｂ、第３表示面７０ｃに表示された「常温」、「冷蔵」、「冷凍」の文字が互いに混合することはない。
【００９２】
また第１表示面７０ａ、第２表示面７０ｂ、第３表示面７０ｃの下地の色は黄色、青色、灰色と互いに相違しているため、第１表示面７０ａ、第２表示面７０ｂ、第３表示面７０ｃをより明確に認識することができる。
【００９３】
この場合、第１表示面７０ａに表示された「常温」の文字、第２表示面７０ｂに表示された「冷蔵」の文字、第３表示面７０ｃに表示された「冷凍」の文字を互いに異なる色で表示してもよく、この場合は第１表示面７０ａ、第２表示面７０ｂおよび第３表示面７０ｃに表示された「常温」、「冷蔵」および「冷凍」の文字をより確実に認識することができる。
【００９４】
さらにまた、第１表示面７０ａ、第２表示面７０ｂ、および第３表示面７０ｃに、例えば「常温」、「冷蔵」および「冷凍」の文字を表示することなく、「常温」、「冷蔵」および「冷凍」の意味をもつ他の図形、記号を表示してもよい。「冷凍」、「常温」または「冷蔵」の文字は一例であり、一定の温度帯または温度管理状態を認識できる意味をもつ表示であれば、特に限定されない。例えば、「冷凍」、「常温」または「冷蔵」の文字の一部または全部の代わりに、「定温」、「加冷」、「加温」などの文字やそれらの意味をもつ図形、記号を表示してもよい。あるいは、「冷凍」、「常温」および「冷蔵」の文字に加えて、「定温」、「加冷」、「加温」などの文字やそれらの意味をもつ図形、記号を表示してもよい。
【００９５】
さらにまた第１表示面７０ａ、第２表示面７０ｂおよび第３表示面７０ｃを上方から下方に向って配置することにより、第１表示面７０ａ、第２表示面７０ｂおよび第３表示面７０ｃを温度計７２の表示体７２ａの上端位置近傍にもってくることができ、第１表示面７０ａ、第２表示面７０ｂ、第３表示面７０ｃと、温度計７２とを容易に認識することができる。
【００９６】
なお、上記各実施の形態において、保冷保温容器１０の保冷保温容器本体１０Ａを温度管理する例を示したが、温度管理の対象としては保冷保温容器本体１０Ａに限ることはなく、他の装置を温度管理してもよく、この場合は温度管理の対象となる装置を含む温度管理システムが構成される。
【符号の説明】
【００９７】
１０  保冷保温容器
１０Ａ  保冷保温容器本体
１１  天面パネル
１１ａ、１１ｂ  部分パネル
１２  正面パネル（側面パネル）
１２ａ、１２ｂ  部分パネル
１３  左面パネル（側面パネル）
１４  奥面パネル（側面パネル）
１５  右面パネル（側面パネル）
１６  底面パネル
２９  持手部
３１  補強体
４１  収納部
５０  温度管理状態表示部
５０ａ  第１表示面
５０ｂ  第２表示面
５０ｃ  第３表示面
５２  温度計
５３  ダミー表示面
６０  温度管理状態表示部
６０ａ  第１表示面
６０ｂ  第２表示面
６０ｃ  第３表示面
６３  ダミー表示面
７０  温度管理状態表示部
７０ａ  第１表示面
７０ｂ  第２表示面
７０ｃ  第３表示面
７２  温度計
７２ａ  表示体
７３  ダミー表示面
【図１】
0006547245.tif 000002
【図２】
0006547245.tif 000003
【図３】
0006547245.tif 000004
【図４】
0006547245.tif 000005
【図５】
0006547245.tif 000006